【事件の表示】
　特願２０００−２５３３６５「片口金ランプ用ソケット」拒絶査定不服審判事件〔平成１４年　３月１５日出願公開、特開２００２−　７５５６５〕について、次のとおり審決する。
【結　論】
　本件審判の請求は、成り立たない。
【理　由】
１．手続の経緯・本願発明
　本件の出願（以下、「本願」という。）は、平成１２年８月２４日の特許出願であって、その請求項１に係る発明（以下、「本願発明」という。）は、特許請求の範囲の請求項１に記載された次のとおりのものと認められる。
　
　「底面に導通用のピンを突設すると共に、両端側壁に係止用の突起を設けた片口金ランプの口金を挿入可能な口金収容部をソケット本体に対し回動自在に軸着し、ソケット本体の底板に口金収容部の底板が重合される装着位置とソケット本体の底板から口金収容部の底板が離れる着脱位置を回動により切り換えるソケットにおいて、軸着部を軸とこの軸が挿入される軸孔から構成し、軸と軸孔の形状を真円でなく回転時に互いが係止する係止部が生じるように構成すると共に、強制的に回転した場合に互いの変形により係止部を乗り越えることが可能な程度の弾性を有する素材により軸又は軸孔又はこれらの双方を構成したことを特徴とする片口金ランプ用ソケット。」
　
２．引用例
（１）原査定の拒絶の理由に引用された実願平３−９４７６６号（実開平５−４５９７５号）のＣＤ−ＲＯＭ（以下、「引用例１」という。）には、図面とともに次の記載がある。
　
ア．「しかし、この片口金ランプ用ソケットは、口金収容部７４をソケット本体７２に組み込む場合、変形部分が少ないので過大な力が必要であり、そのため人手では組立られず機械を用いる必要があった。また過大な力のためソケット本体７２および口金収容部７４に欠けや割れ等が発生するおそれがあった。
　したがって、この考案の目的は、過大な力を必要とすることなく容易に口金収容部をソケット本体に取付けることができ、しかも口金収容部が外れにくい片口金ランプ用ソケットを提供することである。」（段落【０００３】−【０００４】）
　
イ．「この考案の一実施例を図１ないし図１０により説明する。すなわち、この片口金ランプ用ソケットは、長手方向の両端に突起１を設け、底面２に口金ピン３を突設した口金４を有する片口金ランプ５を装着するものであって、口金収容部６と、ソケット本体７とを有する。１６は片口金ランプ５のガラス管、３５は誤使用防止用凹部である。
　口金収容部６は、口金４を嵌合する周壁部１４と可撓性の底板１３からなる容部８を有し、容部８に挿入された口金４の口金ピン３が貫通する挿入穴１２を底板１３に形成するとともに、突起１を挿入する凹部９を周壁部１４に形成し、また周壁部１４の凹部９に交差する方向の対向位置にそれぞれ底板１３に達する切欠部２９を形成し、かつ底板１３の外面で凹部９の対向方向に一対のブラケット３８を突設し、このブラケット３８に相対向する回動連結部１０を設けている。実施例は周壁部１４に口金４の誤使用防止用凹部３５に係合する一対の誤使用防止突起１５を周壁部１４の内面に形成している。またブラケット３８は底板１３の外面の一側部に設け、回動連結部１０は軸孔を実施例とし、またブラケット３８にガイド溝１７を形成している。さらに底板１３の外面の他側部に円柱状の係止片１１を形成している。
　また、周壁部１４の高さＨを口金ピン３の高さｈよりも高くしており（図７）、片口金ランプ５の口金４を容部８に挿入すると、口金ピン３の高さよりも周壁部１４の方が高いので口金４が周壁部１４にガイドされながらスムースに挿入され口金ピン３が挿入穴１２を貫通し、底面２が底板１３に当たる。
　ソケット本体７は、回動連結部１０を回動自在に連結する連結受け部１８を先端部の両側に設けた底部２４を有し、口金収容部６の一方向の回動により周壁部１４が当接して口金収容部６を取付姿勢に規制する取付姿勢支持壁２３を底部２４の後端部に有し、口金収容部６に収容された口金４の突起１を口金収容部６の取付姿勢で抜止め係止しかつ口金収容部６の他方向の回動により突起１の係合を解除する抜止め片１９を底部２４の両側に有し、さらに口金収容部６の取付姿勢で口金収容部６に収容された口金４の口金ピン３に接触する接触片２６を底部２４に設けている。そして、片口金ランプ５の突起１が抜止め片１９から解除される口金収容部６の回動範囲で底板１３の一対のブラケット３８の相互間隔を広げるようなたわみを規制するように底部２４の先端部３９を底板１３の外面に接近している。
　実施例のソケット本体７は、取付姿勢支持壁２３の外面に被取付面となる器具本体３０（図７）に取付けられる凸部３１を形成し、また底部２４の上面に口金ピン３の回動を吸収するスリット状のピン挿入孔２５を形成し、その底部２４の内側に接触片２６を設けている。接触片２６のリード線接続端子（図示せず）は取付姿勢支持壁２３の外面側に設けられている。またソケット本体７の取付孔３２がソケット本体７の底部２４と反対側に形成されている。また底部２４の先端部の両側に軸棒を実施例とする連結受け部１８を突設し、回動連結部１０との結合を容易にするため先端に傾斜面２７を形成している。」（段落【０００７】−【００１０】）
　
ウ．「一方、取付姿勢支持壁２３および底部２４に連結する一対の側壁２０を垂下し、各側壁２０の前縁側に切欠き部２８を形成することにより、その底部２４と反対側の端部で底部２４の先端側と同方向に突出する抜止め片１９を形成している。　また片口金ランプ５を口金収容部６の取付姿勢に保持する保持手段として、口金収容部６を取付姿勢に保持するように係止片１１が乗り越え可能に係止する第１の凸リブ２１をソケット本体７の側壁２０の一端から底部２４に連続する位置まで取付姿勢支持壁２３に平行に形成している。さらに片口金ランプ５を口金収容部６のランプ着脱姿勢に保持するように係止片１１が乗り越え可能に係止する第２の凸リブ２２を第１の凸リブ２１に並設しており、これは第１の凸リブ２１より突出量を大きくして抜止め片１９の内面側に形成している。ここで第１の凸リブ２１の対向間隔Ａとし、第２の凸リブ２２の対向間隔Ｂとし、係止片１１の先端部間の間隔Ｃとすると、Ｃ＞Ａ＞Ｂとなる。２８は係止片１１の回動軌跡に沿って形成された隠蔽部である。３６は片口金ランプ５の取付姿勢が垂直となる場合に使用される取付孔である。」（段落【００１１】）
　
エ．「図７ないし図１０により片口金ランプ５の着脱動作を説明する。すなわち、図４はソケット本体７が器具本体３０に取付けられた状態であり、このとき底部２４および側壁２０は被取付面に対して垂直姿勢となる。また口金収容部６はランプ着脱姿勢であり、係止片１１が第２の凸リブ２２に保持され、かつ突起１が抜止め片２１から外れている。片口金ランプ５はこの状態で口金収容部６に対して矢印Ｐ，Ｑのように抜き差しできるが、器具本体３０に対して平行ではなく傾斜しているので抜き差しやすい状態となっている。
　図８から図９は、片口金ランプ５を口金収容部６に差し込んだ状態から回動連結部１０を中心に口金収容部６がソケット本体７の取付姿勢支持壁２３側に回動した状態であり、これは図４の状態で片口金ランプ５を矢印Ｐの方向に差込んだとき口金４の底面２が底板１３に当たると同時にその差込力により底板１３を押して口金収容部６が回動連結部１０を中心に回動し、係止片１１が第１の凸リブ２１に乗りかかるように動作する。したがって、片口金ランプ５の操作は押し込み操作だけで片口金ランプ５の口金収容部６に対する位置決めが確実になされ、かつ取付姿勢への回動も伴うので操作性が良くなる。図５は係止片１１が第１の凸リブ２１を乗り越える状態でこのとき口金収容部６の底板１３が弾性変形することにより係止片１１が第１の凸リブ２１を乗り越えるとともに、突起１が抜止め片１９に係合し始め、かつ口金ピン３の先端がピン挿入孔２５内に入りさらに接触片に接触し始める。そして第１の凸リブ２１を乗り越えるときの回動力の変化で装着感触すなわちクリック感触が得られる。
　図９は係止片１１が第１の凸リブ２１を乗り越えた状態であり、このとき口金収容部６が取付姿勢支持壁２３に係止して取付姿勢に保持され、片口金ランプ５は器具本体３０に平行になる。また突起１が抜止め片１９に係合して抜止め状態となり、片口金ランプ５が口金収容部６から外れなくなる。さらに口金ピン３が接触片に完全な状態に接触し、リード線接続端子にリード線より給電されると点灯可能になる。」（段落【００１３】−【００１５】）
　
　また、図１の記載内容から、引用例１の片口金ランプ５の突起１が、口金４の両端側壁に設けられていることは、明らかである。
　さらに、上記「イ．」の記載事項から、引用例１の片口金ランプ用ソケットが、口金収容部６とソケット本体７とを回動自在に軸着する軸着部を有することは、明らかである。
　加えて、図７及び図９、並びに、上記「エ．」の記載から、取付姿勢にあるとき、ソケット本体７の底部２４に口金収容部６の底板１３が重合されており、また、着脱姿勢にあるとき、ソケット本体７の底部２４から口金収容部６の底板１３が離れていることも、明らかである。
　
　したがって、引用例１には、次の発明（以下、「引用例１発明」という。）が記載されている。
　
　「底面２に口金ピン３を突設すると共に、両端側壁に係止用の突起１を設けた片口金ランプ５の口金４を挿入可能な口金収容部６をソケット本体７に対し回動自在に軸着し、ソケット本体７の底部２４に口金収容部６の底板１３が重合される取付姿勢とソケット本体７の底部２４から口金収容部６の底板１３が離れる着脱姿勢を回動により切り換えるソケットにおいて、軸着部を連結受け部１８と連結受け部１８が挿入される回動連結部１０から構成し、また、口金収容部６に設けた係止片１１とソケット本体７に設けた第１の凸リブ２１及び第２の凸リブ２２により、口金収容部６を着脱姿勢及び取付姿勢に保持するように構成した片口金ランプ用ソケット。」
　
（２）同じく、特開平１−３２０３１０号公報（以下、「引用例２」という。）には、図面とともに次の記載がある。
　
オ．「本発明はこのような点に鑑みてなされたものであり、その目的は、回転機構部が単に回転動作を支持するのみならず、クリック感も醸し出し、更に加えて角度保持の作用も行うようにして、上記した特別の機構を必要としないようにすることである。」（第１頁右下欄第１３−１８行）
　
カ．「本発明は、回転軸と軸受のいずれか一方の接触面に波状凹凸部を形成し、他方の接触面に少なくとも１個の山状凸部を形成して、該山状凸部の側に弾性を持たせて構成した。」（第１頁右下欄第２０行−第２頁左上欄第３行）
　
キ．「第１図はその一実施例の回転機構の断面を示す図である。１は樹脂成形の回転軸、２も樹脂成形の軸受である。
　回転軸１は少なくとも軸受２に対応する部分は筒状でなり、その端面には１８０度の角度間隔で切込み１１が形成され、またその切込み１１により分割された２個の湾曲片１２の各々のほぼ中央には外側に突出する山状の凸部１３が対称的に形成されている。軸受２は内筒状でなり、その内周壁に波状にエンドレスに連続した等ピッチの凹凸部２１が形成されている。
　上記回転軸１の切込み１１の軸方向の長さ（深さ）は、上記凸部１３の軸方向の長さよりも長くなっており、従ってこの凸部１３の内側への弾性変形が可能となっている。
　上記回転軸１の中心から凸部１３先端までの半径は、上記軸受２の凹凸部２１の凹部の底の軸受２中心からの半径より小さく、且つ凸部の先端の軸受２中心からの半径よりも大きくなっている。
　従って、第１図に示すように回転軸１及び軸受２を組み込んで、軸受２を適宜手段で固定し、回転軸１を矢印Ａ方向に回転させると、回転軸１の凸部１３が軸受２の凹凸部２１の凹部から凸部を乗り越える動作が続き、このとき凸部１３が矢印Ｂに示す方向に弾性変形、弾性復帰する。
　よって、この回転において、回転軸１の軸心がぶれることなく軸受２で支持される通常の軸受機構の作用に加えて、所定角度毎に凸部１３が凹凸部２１の凸部を乗り越えるのでその時抵抗が発生してクリック感が付与され、更に回転を止めれば凸部１３が凹凸２１の凹部に嵌まった安定な状態でその状態が保持されるので、特定の回転角度位置が保持されるようになる。」（第２頁左上欄第５行−同頁右上欄第１８行）
　
ク．「また、上記実施例以外に、回転軸１の側の周面に連続して波状の凹凸を形成し、軸受２の側の内周に１乃至複数の山状の凸部を形成することもできる。この場合は、軸受２の側の材質を軟質の樹脂で形成すれば、内壁が変形して弾性が発揮される。」（第２頁左下欄第１５−２０行）
　
　また、第１図、及び、上記「カ．」の記載から、引用例２の回転軸１及び軸受２が、真円でないことは、明らかである。
　さらに、第１図、並びに、上記「カ．」及び「キ．」の記載から、引用例２の回転軸１及び軸受２が、回転軸１の凸部１３と軸受２の凹凸部２１とにより、互いが係止する係止部が生じるように構成されていることも、明らかである。
　
　したがって、引用例２には、次の発明（以下、「引用例２発明」という。）が記載されている。
　
　「回転軸と軸受の形状を真円でなく回転時に互いが係止する係止部が生じるように構成すると共に、強制的に回転した場合に変形により係止部を乗り越えることが可能な程度の弾性を有する素材により回転軸又は軸受を構成した回転機構。」
　
３．対比
　本願発明と上記引用例１発明とを対比する。
　
　引用例１発明の「口金ピン３」は、本願発明の「導通用のピン」に相当し、以下同様に、「底部２４」は「底板」に、「取付姿勢」は「装着位置」に、「着脱姿勢」は「着脱位置」に、「連結受け部１８」は「軸」に、「回動連結部１０」は「軸孔」に、それぞれ相当する。
　
　したがって、両者は、
　
 「底面に導通用のピンを突設すると共に、両端側壁に係止用の突起を設けた片口金ランプの口金を挿入可能な口金収容部をソケット本体に対し回動自在に軸着し、ソケット本体の底板に口金収容部の底板が重合される装着位置とソケット本体の底板から口金収容部の底板が離れる着脱位置を回動により切り換えるソケットにおいて、軸着部を軸とこの軸が挿入される軸孔から構成したことを特徴とする片口金ランプ用ソケット。」
　
　の点で一致し、次の点で相違する。
　
［相違点］
　装着位置及び着脱位置に固定する構成において、本願発明では、「軸と軸孔の形状を真円でなく回転時に互いが係止する係止部が生じるように構成すると共に、強制的に回転した場合に互いの変形により係止部を乗り越えることが可能な程度の弾性を有する素材により軸又は軸孔又はこれらの双方を構成」としているのに対し、引用例１発明では、口金収容部６に設けた係止片１１とソケット本体７に設けた第１の凸リブ２１及び第２の凸リブ２２により、口金収容部６を着脱姿勢及び取付姿勢に保持するようにした構成としている点。
　
４．判断
　引用例２には、上記のとおり、「回転軸と軸受の形状を真円でなく回転時に互いが係止する係止部が生じるように構成すると共に、強制的に回転した場合に変形により係止部を乗り越えることが可能な程度の弾性を有する素材により回転軸又は軸受を構成した回転機構。」の発明（引用例２発明）が記載されている。
　引用例２発明の「回転軸」は、本願発明の「軸」に相当し、同様に、「軸受」は「軸孔」に相当する。
　ところで、本願発明の「強制的に回転した場合に互いの変形により係止部を乗り越えることが可能な程度の弾性を有する素材により軸又は軸孔又はこれらの双方を構成」という事項の、特に、「互いの変形」という事項について、「互いの」の意味がややあいまいであるため、発明の詳細な説明等を参酌して検討するに、上記「係止部を乗り越えることが可能な程度の弾性を有する素材により
軸又は軸孔
これらの双方
軸と軸孔の互いの変形
突起が変形
　してみると、引用例２発明の「変形」は、「互いの変形」に含まれるものであるから、引用例２発明は、
「軸と軸孔の形状を真円でなく回転時に互いが係止する係止部が生じるように構成すると共に、強制的に回転した場合に互いの変形により係止部を乗り越えることが可能な程度の弾性を有する素材により軸又は軸孔を構成した回転機構」ということができる。
　
　そして、引用例１発明は、口金収容部を取付姿勢（装着位置）及び着脱姿勢（着脱位置）に保持（固定）するという点で本願発明と共通するものであり、また、引用例１発明も、引用例２発明も、軸着される２つの部材の、一方の部材を他方の部材に対して、複数位置で固定するという作用において共通するものであるから、引用例１発明において、口金収容部を取付姿勢と着脱姿勢とに保持するために、「口金収容部６に設けた係止片１１とソケット本体７に設けた第１の凸リブ２１及び第２の凸リブ２２により、口金収容部６を着脱姿勢及び取付姿勢に保持するようにした構成」に代えて、引用例２発明の「軸と軸孔の形状を真円でなく回転時に互いが係止する係止部が生じるように構成すると共に、強制的に回転した場合に互いの変形により係止部を乗り越えることが可能な程度の弾性を有する素材により軸又は軸孔を構成した」ものを適用し、上記相違点に係る本願発明の構成を採用することは、当業者が容易に想到し得たことである。
　
　しかも、本願発明の作用効果は、引用例１発明及び引用例２発明から当業者が予測できた範囲内のものである。
　
５．むすび
　以上のとおり、本願発明は、引用例１発明及び引用例２発明に基づいて、当業者が容易に発明をすることができたものであるから、特許法第２９条第２項の規定により特許を受けることができない。
　
　よって、本願の他の請求項に係る発明について検討するまでもなく、本願は拒絶されるべきものであるから、結論のとおり審決する。